【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
１つ以上の通信装置のそれぞれから発行される第１通信方式に従う信号に基づいて、当該通信装置の識別情報と当該通信装置の消耗品の状態を示す情報とを含んだ、前記１つ以上の通信装置のいずれかの選択を受け付け可能な選択画面を表示する表示制御手段と、
前記選択画面に対して入力されたユーザ操作に基づいて前記１つ以上の通信装置から選択された通信装置との間で前記第１通信方式とは異なる第２通信方式による通信を行うための通信情報を、前記選択された通信装置との前記第１通信方式に従う通信によって取得する取得手段と、
前記通信情報を使用することにより、前記第２通信方式によって、前記選択された通信装置へ処理データを送信する送信手段と、を有することを特徴とする情報処理装置。
【請求項２】
前記選択画面に対して入力されたユーザ操作に基づいて選択された通信装置と認証処理を行うことにより前記第１通信方式に従う通信が可能となる、ことを特徴とする請求項１に記載の情報処理装置。
【請求項３】
前記第１通信方式はＢｌｕｅｔｏｏｔｈに従う通信方式であることを特徴とする請求項１または２に記載の情報処理装置。
【請求項４】
前記第２通信方式は、ＩＥＥＥ８０２．１１規格シリーズに準拠した無線通信であることを特徴とする請求項１から３のいずれか１項に記載の情報処理装置。
【請求項５】
１台の通信装置から第１識別情報が含まれる第１アドバタイズ信号と第２識別情報が含まれる第２アドバタイズ信号が前記情報処理装置において受信された場合、前記表示制御手段は、前記第１識別情報と前記第２識別情報とを含む前記選択画面を表示する、ことを特徴とする請求項１から４のいずれか１項に記載の情報処理装置。
【請求項６】
前記第１通信方式に従う信号には、前記通信装置の消耗品の状態を示す情報としてインクの残量に関する情報が含まれる、ことを特徴とする請求項１から５のいずれか１項に記載の情報処理装置。
【請求項７】
前記処理データは、印刷ジョブであることを特徴とする請求項１から６のいずれか１項に記載の情報処理装置。
【請求項８】
情報処理装置によって実行される制御方法であって、
１つ以上の通信装置のそれぞれから発行される第１通信方式に従う信号に基づいて、当該通信装置の識別情報と当該通信装置の消耗品の状態を示す情報とを含んだ、前記１つ以上の通信装置のいずれかの選択を受け付け可能な選択画面を表示する表示制御工程と、
前記選択画面に対して入力されたユーザ操作に基づいて前記１つ以上の通信装置から選択された通信装置との間で前記第１通信方式とは異なる第２通信方式による通信を行うための通信情報を、前記選択された通信装置との前記第１通信方式に従う通信によって取得する取得工程と、
前記通信情報を使用することにより、前記第２通信方式によって、前記選択された通信装置へ処理データを送信する送信工程と、を有することを特徴とする制御方法。
【請求項９】
前記選択画面に対して入力されたユーザ操作に基づいて選択された通信装置と認証処理を行うことにより前記第１通信方式に従う通信が可能となる、ことを特徴とする請求項８に記載の制御方法。
【請求項１０】
前記第１通信方式はＢｌｕｅｔｏｏｔｈに従う通信方式であることを特徴とする請求項８または９に記載の制御方法。
【請求項１１】
前記第２通信方式は、ＩＥＥＥ８０２．１１規格シリーズに準拠した無線通信であることを特徴とする請求項８から１０のいずれか１項に記載の制御方法。
【請求項１２】
１台の通信装置から第１識別情報が含まれる第１アドバタイズ信号と第２識別情報が含まれる第２アドバタイズ信号が前記情報処理装置において受信された場合、前記表示制御工程において、前記第１識別情報と前記第２識別情報とを含む前記選択画面を表示する、ことを特徴とする請求項８から１１のいずれか１項に記載の制御方法。
【請求項１３】
前記第１通信方式に従う信号には、前記通信装置の消耗品の状態を示す情報としてインクの残量に関する情報が含まれる、ことを特徴とする請求項８から１２のいずれか１項に記載の制御方法。
【請求項１４】
前記処理データは、印刷ジョブであることを特徴とする請求項８から１３のいずれか１項に記載の制御方法。
【請求項１５】
情報処理装置に備えられたコンピュータに、
１つ以上の通信装置のそれぞれから発行される第１通信方式に従う信号に基づいて、当該通信装置の識別情報と当該通信装置の消耗品の状態を示す情報とを含んだ、前記１つ以上の通信装置のいずれかの選択を受け付け可能な選択画面を表示させ、
前記選択画面に対して入力されたユーザ操作に基づいて前記１つ以上の通信装置から選択された通信装置との間で前記第１通信方式とは異なる第２通信方式による通信を行うための通信情報を、前記選択された通信装置との前記第１通信方式に従う通信によって取得させ、
前記通信情報を使用することにより、前記第２通信方式によって、前記選択された通信装置へ処理データを送信させる、ためのプログラム。
【請求項１６】
前記選択画面に対して入力されたユーザ操作に基づいて選択された通信装置と認証処理を行うことにより前記第１通信方式に従う通信が可能となる、ことを特徴とする請求項１５に記載のプログラム。
【請求項１７】
前記第１通信方式はＢｌｕｅｔｏｏｔｈに従う通信方式であることを特徴とする請求項１５または１６に記載のプログラム。
【請求項１８】
前記第２通信方式は、ＩＥＥＥ８０２．１１規格シリーズに準拠した無線通信であることを特徴とする請求項１５から１７のいずれか１項に記載のプログラム。
【請求項１９】
１台の通信装置から第１識別情報が含まれる第１アドバタイズ信号と第２識別情報が含まれる第２アドバタイズ信号が前記情報処理装置において受信された場合、前記第１識別情報と前記第２識別情報とを含む前記選択画面を表示させる、ことを特徴とする請求項１５から１８のいずれか１項に記載のプログラム。
【請求項２０】
前記第１通信方式に従う信号には、前記通信装置の消耗品の状態を示す情報としてインクの残量に関する情報が含まれる、ことを特徴とする請求項１５から１９のいずれか１項に記載のプログラム。
【請求項２１】
前記処理データは、印刷ジョブであることを特徴とする請求項１５から２０のいずれか１項に記載のプログラム。
【手続補正２】
【補正対象書類名】明細書
【補正対象項目名】０００６
【補正方法】変更
【補正の内容】
【０００６】
上記目的を達成するため、本発明に係る情報処理装置は、１つ以上の通信装置のそれぞれから発行される第１通信方式に従う信号に基づいて、当該通信装置の識別情報と当該通信装置の消耗品の状態を示す情報とを含んだ、前記１つ以上の通信装置のいずれかの選択を受け付け可能な選択画面を表示する表示制御手段と、前記選択画面に対して入力されたユーザ操作に基づいて前記１つ以上の通信装置から選択された通信装置との間で前記第１通信方式とは異なる第２通信方式による通信を行うための通信情報を、前記選択された通信装置との前記第１通信方式に従う通信によって取得する取得手段と、前記通信情報を使用することにより、前記第２通信方式によって、前記選択された通信装置へ処理データを送信する送信手段と、を有する。
【手続補正３】
【補正対象書類名】明細書
【補正対象項目名】発明の名称
【補正方法】変更
【補正の内容】
【発明の名称】情報処理装置、制御方法、及びプログラム